(57)【要約】【課題】録画予約した番組を録画できるだけの空き容量が記録媒体に不足している場合でも、ユーザへその旨の通知を行い、ユーザに確認無く勝手に記録済みの録画コンテンツが消去されることがないようにして予約録画を可能とする。【解決手段】記録装置１９を用いて録画予約を行う場合、リモコン１で予約内容を入力し、入力部２に入力信号を送る。入力部２は入力内容を制御部３に送る。制御部３は入力内容の必要容量を算出し、又、ＨＤＤ７とリムーバブルメディアドライブ１７に挿入されている記録媒体１８の空き容量を算出し、照合部８で照合し、録画予約内容の録画可否の判定を行う。録画可能な空き容量があると判定された場合は、入力内容を予約部４に送り、予約録画日時までは予約部４から予約管理部５に送られ管理される。予約録画に必要な空き容量が無い場合については、その旨をユーザに通知する。【選択図】図１
2012142661.tif 000002
【特許請求の範囲】
【請求項１】
デジタル放送の番組を予約して、その予約番組のデータを記録媒体に記録する記録装置において、
番組の録画予約に関する予約情報を管理する予約管理手段と、
情報同士を照合する照合手段と、
前記予約管理手段が管理する予約情報に週間予約等の連続予約を含む場合、前記照合手段に、予約番組のデータ量と、前記記録媒体の空き容量を録画予約したデータ量と照合させ、その照合結果により前記記録媒体の空き容量が足りないときに、その旨をユーザに通知する制御部と、
を備えることを特徴とする記録装置。
【請求項２】
前記制御部は、前記照合結果より、どの予約から録画完了が不可なのかを確認して、ユーザに通知することを特徴とする請求項１に記載の記録装置。
【請求項３】
前記制御部がどの予約から録画完了が不可なのかをユーザに通知する場合、録画予約が実行される前のどの時点で通知するかを、予めユーザが設定出来ることを特徴とする請求項２に記載の記録装置。
【請求項４】
前記制御部は、前記照合結果より、どの予約まで録画完了が可能なのか確認して、ユーザに通知することを特徴とする請求項１乃至３のいずれかに記載の記録装置。
【請求項５】
前記制御部は、録画予約の録画モードを予約時より録画容量を下げた録画モードに切り換えたときの必要容量と、前記記録媒体の空き容量とを前記照合手段に照合させ、その結果により録画可能となる録画モードがあるかを確認し、該録画モードがある場合は、その録画モードをユーザに通知することを特徴とする請求項１乃至３のいずれかに記載の記録装置。
【請求項６】
前記制御部は、前記照合手段に前記連続予約の今回の予約情報と番組表の情報とを照合させ、連続予約が今回の予約で終了する場合、その旨をユーザに通知することを特徴とする請求項１乃至５のいずれかに記載の記録装置。
【請求項７】
前記連続予約と番組表の照合を行うタイミングが、前回の予約録画完了時とすることを特徴とする請求項６に記載の記録装置。
【請求項８】
前記連続予約と番組表の照合を行うタイミングが、番組表の更新時とすることを特徴とする請求項６に記録装置。
【請求項９】
前記制御部は、表示による通知を行うことを特徴とする請求項１乃至８のいずれかに記載の記録装置。
【請求項１０】
前記制御部は、音声による通知を行うことを特徴とする請求項１乃至８のいずれかに記載の記録装置。
【請求項１１】
前記制御部は、電子メールによる通知を行うことを特徴とする請求項１乃至８のいずれかに記載の記録装置。
【請求項１２】
デジタル放送の番組を予約して、その予約番組のデータを記録媒体に記録する記録装置を用いて録画不可のメッセージを通知する通知方法において、
前記記録装置が管理する予約情報に週間予約等の連続予約を含む場合、前記照合手段に、予約番組のデータ量と、前記記録媒体の空き容量を録画予約した照合させるステップと、
その照合結果により前記記録媒体の空き容量が足りないときに、その旨をユーザに通知するステップと、
を備えることを特徴とする通知方法。
【請求項１３】
前記照合結果より、どの予約から録画完了が不可なのか確認するステップと、
どの予約から録画が不可であるかを通知するステップと、
を備えることを特徴とする請求項１２に記載の通知方法。
【請求項１４】
前記照合結果より、どの予約まで録画完了が可能なのかを確認するステップと、
どの予約まで録画完了が可能なのかをユーザに通知するステップと、
を備えることを特徴とする請求項１２又は１３に記載の通知方法。
【請求項１５】
録画予約の録画モードを予約時より録画容量を下げた録画モードに切り換えたときの必要容量を計算するステップと、
前記必要容量と、前記記録媒体の空き容量とを前記照合手段に照合させ、その結果により録画可能となる録画モードがあるかを確認するステップと、
該録画モードがある場合は、その録画モードをユーザに通知するステップと、
を備えることを特徴とする請求項１２乃至１４のいずれかに記載の通知方法。
【請求項１６】
予約が連続予約の場合、予約情報と番組表を照合するステップと、
前記照合ステップによる照合結果から判明した番組終了情報をユーザに通知するステップと、
を備えることを特徴とする請求項１２乃至１５のいずれかに記載の通知方法。
【請求項１７】
請求項１２乃至１６のいずれかに記載の通知方法の各ステップを、コンピュータに実行させるためのプログラム。
【請求項１８】
請求項１７に記載したプログラムを記録した記録媒体。
【発明の詳細な説明】
【技術分野】
【０００１】
本発明は、デジタル放送を受信するデジタル放送受信装置及び、ＨＤＤ(Hard Disc Drive)やＤＶＤ(Digital Versatile Disc)など、各種記録媒体に映像録画を予約にて行う記録装置、録画不可の通知方法、それを実行する通知プログラム及びそのプログラムを記録した記録媒体に関する。
【背景技術】
【０００２】
近年、数テラバイト（ＴＢ）という大容量記録媒体であるＨＤＤが内蔵されているレコーダが各社から発売されている。又、ＢＤ（Blu-ray Disc）では１枚で５０ＧＢという高記録容量のものが発売されている。これはユーザが、空き容量を気にせずにＨＤ（High Definition）番組を録画出来ることが主な狙いであるが、大容量を生かして取りあえず録画予約しておき、後から見るコンテンツを選択するという傾向が増えてきている。
【０００３】
この為、放送波に重畳されてくる番組表データから電子番組表（ＥＰＧ：Electronic Program Guide）を生成し、ユーザがＥＰＧから選択した番組をそのまま録画予約出来る機能が各社のレコーダにほぼ装備されている。
また、録画予約用にキーワードを設定しておくと、番組表データから検索し、設定したキーワードを含む番組を自動で予約録画する機能を装備したレコーダもある。
【０００４】
このように、視聴するしないにかかわらず、とりあえず録画しておくという傾向がユーザにみられる為、レコーダの記録媒体の記録容量を圧迫し、録画が実行出来なくなる場合が増えている。
【０００５】
上記のような事態の解決策として、以下の特許文献３件が挙げられる。
【０００６】
（Ａ）特許文献１
空き容量不足が生じても、録画されているデータの中から視聴済み等で不要と判断したデータを削除して、最新の予約番組を優先して録画できる。
【０００７】
（Ｂ）特許文献２
ユーザが予約録画を行った際、記録媒体の残り容量と録画予約時間情報を計算し、予約録画可能かどうかを一覧表示することができる。
【０００８】
（Ｃ）特許文献３
自動録画予約用キーワードに応じた自動録画を行う記録装置にて、キーワードに検索され録画予約された番組が空き容量不足により記録出来ない場合でも、既に記録された番組のうち消去すべき番組を適切に選択することで、予約録画可能とする。
【０００９】
図１１に、特許文献３における従来の番組記録装置システムの一実施形態の構成図を示す。チューナ７２は、アンテナ入力端子７１から入力されたＢＳ、地上波等のＲＦ入力（番組放送波）を選局・検波して映像信号及び音声信号を取り出す。また、チューナ７２は、取り出した映像信号及び音声信号をデジタル化して画像／音声データバス７３に画像データ及び音声データを出力する。
【００１０】
画像／音声データバス７３は、各ブロック間にて画像データ及び後述の音声データを送受信する為のバスである。画像／音声データバス７３には、チューナ７２、ＮＴＳＣデコーダ７４、Ａ／Ｄコンバータ７６、及びデジタルインターフェース７８が接続されている。更に、画像／音声データバス７３には、ＭＰＥＧコーデック８０、ハードディスクドライブ（ＨＤＤ）８１、リムーバブルディスク８２、ＮＴＳＣエンコーダ８３、Ｄ／Ａコンバータ８５、及び番組表生成部９３が接続されている。
【００１１】
ＮＴＳＣデコーダ７４は、ビデオ入力端子７５からのアナログＮＴＳＣ信号をデジタル化して画像／音声データバス７３に画像データを出力する。ビデオ入力端子７５には、外部の映像機器のアナログ映像出力が接続される。Ａ／Ｄコンバータ７６は、オーディオ入力端子７７からのアナログ音声信号をデジタル化して映像／音声データバス７３に音声データを出力する。オーディオ入力端子７７には、外部の映像機器又は外部の音声機器のアナログ音声出力が接続される。
【００１２】
デジタルインターフェース７８は、デジタル入力端子７９から入力されたデジタル映像・音声信号を画像／音声データバス７３に適合する形式に変換して出力する。ＭＰＥＧ２コーデック８０は、画像／音声データバス７３からの画像データ及び音声データをＭＰＥＧ２に圧縮すると共に、ハードディスクドライブ８１やリムーバブルディスク８２に記録されたＭＰＥＧ２圧縮データを伸張する。
【００１３】
ハードディスクドライブ８１及びリムーバブルディスク８２は、ＭＰＥＧ２圧縮データを記録する大容量の記録媒体である。ハードディスクドライブ８１は、大容量の内蔵ディスクであり、リムーバブルディスク８２は脱着可能なディスクである。ＮＴＳＣエンコーダ８３は、画像／音声データバス７３からの画像データをアナログ化し、ビデオ出力端子８４に出力する。Ｄ／Ａコンバータ８５は、画像／音声データバス７３からの音声データをアナログ化し、オーディオ出力端子８６に出力する。
【００１４】
操作キー８７は、レコーダ本体の操作を行う為のものであり、リモコンセンサ８８は、リモコン操作された場合に、その送信信号を受信する。制御バス８９は、メイン信号が送受信されるバスである。
【００１５】
メインマイコン９０は、機器全体のモードを制御したり、操作キー８７の操作を読んで各種機能の実行制御をする。ＲＡＭ９１は、メインマイコン９０の一時的な保存データ各種機器設定、また番組予約情報を保存するメモリであり、バックアップ電池９２は、停電等で通電が切れた時にＲＡＭ９１のデータを保存する為の電池である。
【００１６】
番組表生成部９３は、ハードディスクドライブ８１等に記録された番組表データを用いて電子番組表のデータを生成して、画像／音声データバス７３に出力する。
放送波より放送局から番組表データが送信され、受信した番組表データはハードディスクドライブ８１に記録される。そして、番組表データを受信する度にハードディスクドライブ８１に記録されている番組表データを更新する。
【００１７】
リモコンセンサ８８により番組表示指示があると、メインマイコン９０が番組表生成部９３を制御して、ハードディスクドライブ８１に記録された番組表データを用いて電子番組表のデータを生成する。このデータをＮＴＳＣエンコーダ８３を介して外部の表示装置に送る。
【００１８】
メインマイコン９０は、ユーザより録画予約が設定されると、録画予約された放送番組の情報を手動予約情報としてハードディスクドライブ８１に保存する。又、ハードディスクドライブ８１に保存された番組表データと、ユーザにより設定されたキーワードを用いた自動録画予約機能を持つ。
【００１９】
ハードディスクドライブ８１の全容量の内、所定容量が自動録画用の記録領域として設定される。自動録画が実行される際、メインマイコン９０は自動録画用の記録領域に係る記録容量の検出を行い、自動録画用の記録領域に自動録画予約を実行する為の空き容量があるか否かを判断する。その時に空き容量が不足している場合には、メインマイコン９０は、既に記録されているコンテンツの中に今回録画しようとしている番組を検索する際に利用したキーワードと同じキーワードによって検索、自動録画されたものがあるか否か検索を行う。その結果、同一キーワードによって検索された自動録画済みのコンテンツがある場合は、最も記録日時の古いコンテンツに対して自動消去を行う。
【００２０】
一方、検索の結果同一キーワードにより検索、自動録画されたコンテンツがない場合には、キーワードの内容に係らず過去に自動録画されたコンテンツがあるか否かを検索し、その中で最も記録日時の古いコンテンツに対して自動消去を実行する。
【先行技術文献】
【特許文献】
【００２１】
【特許文献１】特開２００１−１６７５２２号公報
【特許文献２】国際公開第２００２／０２８１００号
【特許文献３】特開２００８−１４８１５０号公報
【発明の概要】
【発明が解決しようとする課題】
【００２２】
特許文献１は、記録媒体の空き容量に不足が生じても、最新の予約番組を録画することは可能だが、過去に録画した視聴済みのコンテンツや、録画日時が古いコンテンツは、ユーザの意思に関係なく自動で削除されてしまうという大きな課題があった。
【００２３】
特許文献２は、録画予約を行った際に、記録媒体の空き容量を計算し、予約録画可能かどうかをユーザに提示することは可能であるが、連続録画予約に関しては考慮していないという大きな課題があった。また、ユーザが指定した録画予約についてのみ計算と判定を行っており、すべての録画予約を考慮していないという、課題があった。
【００２４】
特許文献３は、記録媒体の空き容量に不足が生じても、キーワード設定により自動予約、及び、録画されたコンテンツについて検索を行い、古い順に消去を行って記録媒体の空き容量を確保することは可能だが、ユーザの確認無く自動でコンテンツが削除されてしまうという大きな課題があった。
【００２５】
本発明は、上記課題を解決するもので、録画予約した番組を正常に録画できるだけの空き容量が記録媒体に不足している場合でも、ユーザへその旨の通知を行い、ユーザに確認無く勝手に記録済みの録画コンテンツが消去されることがないように予約録画を可能とする記録装置、録画不可の通知方法、それを実行する通知プログラム及びそのプログラムを記録した記録媒体を提供することを目的とする。
【課題を解決するための手段】
【００２６】
本発明はこうした課題を解決する為の手段を提供するもので、各請求項の発明は、以下の技術手段を構成する。
【００２７】
本発明は、デジタル放送の番組を予約して、その予約番組のデータを記録媒体に記録する記録装置において、
番組の録画予約に関する予約情報を管理する予約管理手段と、情報同士を照合する照合手段と、前記予約管理手段が管理する予約情報に週間予約等の連続予約を含む場合、前記照合手段に、予約番組のデータ量と、前記記録媒体の空き容量を録画予約した照合させ、その照合結果により前記記録媒体の空き容量が足りないときに、その旨をユーザに通知する制御部と、を備えることを特徴とする。
【００２８】
また、前記制御部は、前記照合結果より、どの予約から録画完了が不可なのかを確認して、ユーザに通知することを特徴とする。
【００２９】
また、前記制御部がどの予約から録画完了が不可なのかをユーザに通知する場合、録画予約が実行される前のどの時点で通知するかを、予めユーザが設定出来ることを特徴とする。
【００３０】
また、前記制御部は、前記照合結果により、どの予約まで録画完了が可能なのか確認して、ユーザに通知することを特徴とする。
【００３１】
また、前記制御部は、録画予約の録画モードを予約時より録画容量を下げた録画モードに切り換えたときの必要容量と、前記記録媒体の空き容量とを前記照合手段に照合させ、その結果により録画可能となる録画モードがあるかを確認し、該録画モードがある場合は、その録画モードをユーザに通知することを特徴とする。
【００３２】
また、前記制御部は、前記照合手段に前記連続予約の今回の予約情報と番組表の情報とを照合させ、連続予約が今回の予約で終了する場合、その旨をユーザに通知することを特徴とする。
【００３３】
また、前記連続予約と番組表の照合を行うタイミングが、前回の予約録画完了時とすることを特徴とする請求項６に記載の記録装置。
【００３４】
また、前記連続予約と番組表の照合を行うタイミングが、番組表の更新時とすることを特徴とする。
【００３５】
また、前記制御部は、表示による通知を行ってもよいし、音声による通知を行ってもよいし、電子メールによる通知を行うってもよい。
【００３６】
また、本発明は、デジタル放送の番組を予約して、その予約番組のデータを記録媒体に記録する記録装置を用いて録画不可のメッセージを通知する通知方法において、
前記記録装置が管理する予約情報に週間予約等の連続予約を含む場合、前記照合手段に、予約番組のデータ量と、前記記録媒体の空き容量を録画予約した照合させるステップと、その照合結果により前記記録媒体の空き容量が足りないときに、その旨をユーザに通知するステップと、を備えることを特徴とする。
【００３７】
前記照合結果より、どの予約から録画完了が不可なのか確認するステップと、どの予約から録画が不可であるかを通知するステップと、をさらに備えることを特徴とする。
【００３８】
また、前記照合結果より、どの予約まで録画完了が可能なのかを確認するステップと、どの予約まで録画完了が可能なのかをユーザに通知するステップと、
を備えることを特徴とする。
【００３９】
また、録画予約の録画モードを予約時より録画容量を下げた録画モードに切り換えたときの必要容量を計算するステップと、前記必要容量と、前記記録媒体の空き容量とを前記照合手段に照合させ、その結果により録画可能となる録画モードがあるかを確認するステップと、該録画モードがある場合は、その録画モードをユーザに通知するステップと、を備えることを特徴とする。
【００４０】
また、予約が連続予約の場合、予約情報と番組表を照合するステップと、前記照合ステップによる照合結果から判明した番組終了情報をユーザに通知するステップと、を備えることを特徴とする。
【００４１】
さらに本発明は、前記通知方法の各ステップを、コンピュータに実行させるためのプログラムであり、このプログラムを記録した記録媒体でもある。
【発明の効果】
【００４２】
本発明によれば、記録媒体の空き容量不足で録画予約が完了出来ない状況が発生した場合、録画不可の通知を受けることによって、記録媒体の空き容量をユーザの任意の方法で確保することが可能であり、又、録画予約が連続録画予約であった場合でも、該番組の放送終了までのスケジュールを電子番組表を用いて検索、照合を行うことにより、どの録画予約から録画完了不可なのか、又は、どの録画予約まで録画完了可能なのかを、ユーザが指定した日数、又は時間前から通知を受けることができるようになる。
これにより、ユーザが知ることなく録画済みコンテンツを自動消去されたり、又、記録媒体の空き容量不足で録画予約が完了出来ないことがなくなる。
【図面の簡単な説明】
【００４３】
【図１】本実施形態の記録装置のトータルシステムを示す機能ブロック図である。
【図２】記録装置１９が録画予約する処理を示すフローチャートである。
【図３】ステップＳ１における記録装置での録画予約の処理を示すフローチャートである。
【図４】Ｓ２における録画予約以降に予約が存在する場合の処理を示すフローチャートである。
【図５】Ｓ４における記録媒体の容量が足りなくて録画予約不可の場合の処理を示すフローチャートである。
【図６】録画不可の場合の処理を示すフローチャートである。
【図７】録画予約されているコンテンツの中で、次に録画されるコンテンツ分の空き容量が無い場合のメッセージ通知方法の一例を示す図である。
【図８】次回録画がＨＤＤの空き容量不足で不可の場合の対処方法の一例を示す図である。
【図９】ＸＰモードで１時間分の容量を基準とした場合の他モードの時間割合表である。
【図１０】今後の録画予約リストの録画可否を通知する例である。
【図１１】特許文献３における従来の番組記録装置システムの一実施形態を示す構成図である。
【発明を実施するための形態】
【００４４】
以下、本発明の実施の形態を添付図面を参照して説明する。
【００４５】
図１は、本実施形態の記録装置のトータルシステムを示す機能ブロック図である。図１において、記録装置１９を構成する各部は以下の通りである。２はリモコン１からの入力を受け付ける入力部、３は入力部２からの入力情報の制御を行ったり各部への制御を行う制御部、４は制御部３からの命令により予約とその予約録画の実行をする予約部、５は予約部４での録画予約に関する予約情報の管理を行う予約管理部、６は予約部４からの指示により録画を行う録画部、７は録画したコンテンツを格納するＨＤＤ（ハードディスクドライブ）、８は記録媒体の空き容量と予約情報を照合などの情報同士を照合する照合部、９は制御部３で制御されたコンテンツの表示処理を行う表示部、１０は表示部９やチューナ部１６からの情報の出力処理を行う出力部、１３は制御部３からの提示内容の選択を行う選択部、１６はアンテナ１５を介して受信した放送信号からテレビ番組信号を抽出するチューナ部である。
【００４６】
更に記録装置１９には以下の装置が接続される。１は記録装置の操作を行うリモコン、１１は出力部から出力される情報を表示するディスプレイ、１２は出力部からの音声を出力するスピーカ、１４はネット上の番組情報が蓄積されているインターネットサーバ、１５は放送信号を受信するアンテナ、１７は各種リムーバブルメディアに対応し、ＨＤＤ７同様録画したコンテンツを格納するリムーバブルメディアドライブ、１８はＤＶＤやＢＤ（Blu-ray Disc）などのリムーバブルメディア（記録媒体）である。
【００４７】
図２は、記録装置１９が録画予約する処理を示すフローチャートである。
ユーザの指示に従って記録装置１９が録画予約処理を行う（ステップＳ１）。次に、録画予約した以降に別の予約が存在する場合の処理を行う（ステップＳ２）。記録装置１９は、録画不可メッセージがあるか否かを確認し（ステップＳ３）、メッセージがある場合はステップ４に進み、メッセージがない場合は処理を終了する。ステップＳ４では録画不可メッセージが表示された場合の処理を行う。次にステップ５において、録画不可の場合の処理を行う。各処理については、後で詳しく説明する。
【００４８】
録画予約が完了した後の処理については、フローチャートに示さないが、その概略について説明する。
【００４９】
予約録画日時直前には、記録装置１９の予約管理部５はインターネットサーバ１４を介してＥＰＧを取得し、照合部８において録画予約内容と番組情報に時間等のずれがないかチェックを行う。
齟齬が無い場合は、録画予約情報を制御部３に送り、前記情報を元に制御部３からチューナ部１６でアンテナ１５から受信した放送信号を取得し、予約部４を介し録画部６でＨＤＤ７、又は、リムーバブルメディアドライブ１７を介して記録媒体１８に記録を行う。
【００５０】
ＴＶ放送を視聴する場合は、ユーザがリモコン１で電源をオンにし、リモコン１でチャンネル選択を行うと、リモコン１からの入力信号は入力部２から制御部３に渡る。制御部３は、アンテナ１５を介して受信した放送信号からチューナ部１６により抽出されたＴＶ番組信号を表示部９に送り、ディスプレイ１１とスピーカ１２に出力可能なように処理を行ってから、出力部１０を介してディスプレイ１１とスピーカ１２に信号を出力する。
【００５１】
録画したコンテンツを視聴する場合は、ユーザがリモコン１で電源をオンにし、その入力信号を入力部２を介して制御部３へ送る。制御部３は、すでに録画されている録画情報リストをＨＤＤ７から呼び出して表示部９を介して出力部１０からディスプレイ１１に出力する。ユーザは、表示された録画情報リストから任意の録画コンテンツをリモコン１を介して選択し、該選択情報を入力部２を介して制御部３から選択部１３に送る。選択部１３で選択された録画コンテンツ情報は制御部３に送られ、制御部３はＨＤＤ７、又は、リムーバブルメディアドライブ１７を介して記録媒体１８から呼び出し、表示部９を介して出力部１０からディスプレイ１１とスピーカ１２に出力する。
【００５２】
図３は、ステップＳ１における記録装置での録画予約の処理を示すフローチャートである。
録画予約を行う場合、まず、ユーザがリモコン１で予約内容を入力し、記録装置１９の入力部２に入力信号を送る。ここで、予約内容とは、予約番組名、予約開始・終了時間、連続予約指定（毎週所定の時間を指定や、毎日所定の時間を指定など）等である。入力部２は入力内容を制御部３に送る（ステップＳ１１）。制御部３は、ＨＤＤ７の空き容量を検索し（ステップＳ１２）、またユーザより指示された録画予約分の容量を算出し（ステップＳ１３）、これらの結果を照合部８に送り、照合する（ステップＳ１４）。制御部３は、照合部８の照合の結果により、ＨＤＤ７に予約分の空き容量が有るか無いかを判定し（ステップＳ１５）、空き容量が有る場合は、ユーザが入力した予約内容から、予約が連続予約かどうかを判定する（ステップＳ１６）。連続予約の場合は、制御部３は、予約管理部５を介してインターネットサーバ１４にアクセスして次回分を番組表から検索し（ステップＳ１７）、次回があるかどうかを判定する（ステップＳ１８）。番組の次回がある場合はステップＳ１２に戻る。ステップＳ１８で番組の次回が無い場合は、今回予約した分で番組が終了することをユーザに通知を行う（ステップＳ１９）。そして、制御部３は、入力された予約内容を加えて、予約管理部５に格納されている録画予約リストを更新する（ステップＳ２４）。制御部３は、他に連続録画予約があるかを確認し（ステップＳ２５）、連続録画予約があれば、直近の次回分について容量を算出して（ステップ２６）、ステップＳ１４に戻る。他に連続録画予約がなければ、ステップＳ２へ進む。
【００５３】
ステップＳ１９の通知方法としては、ディスプレイに表示する、スピーカから音声出力する、携帯電話のメール等にメッセージを送信するなどの複数の通知方法があり、いずれか１つ、又は、複数の方法を組み合わせて通知を行ってもよい。これら通知方法は、以降の通知ステップでも同様である。
【００５４】
ステップ１６で連続予約ではない場合は、制御部３は、入力された予約内容を加えて、予約管理部５に格納されている録画予約リストを更新する（ステップＳ２４）。制御部３は、他に連続録画予約があるかを確認する（ステップＳ２５）。有る場合は、直近の次回分についての容量の算出を行い(ステップ２６)、ステップ１４に戻る。
無い場合はステップ２へ進む。
【００５５】
ステップＳ１５で予約分の空き容量が無い場合、制御部３は、ユーザによるメッセージの通知指定があるかどうかを検索する（ステップＳ２０）。ここで、ユーザの通知指定とは、ＨＤＤ７の空き容量不足で録画予約が完了出来ない状況が発生した場合に、通知を行うかどうか、又、通知を行う場合は何日前から、何時間前から、どのような通知方法で行うのかなどを、ユーザが事前に設定しておける機能である。もし、予約分の空き容量がない状況が発生した時が通知を行う時間範囲外であった場合には、範囲の時間になったら、再度照合を行い、通知を行う処理が必要となる。
【００５６】
メッセージの通知指定が有る場合には、照合部８が指定された日と現在の日と予約が実行される日を照合し（ステップＳ２１）、制御部３が通知指定の範囲日かどうかを判定する（ステップＳ２２）。範囲日の場合は、録画不可のメッセージをユーザに通知して（ステップＳ２３）、ステップＳ２へ進む。ステップＳ２０でユーザの通知指定が無い場合は、録画不可のメッセージを通知して（ステップＳ２３）、ステップＳ２へ進む。
【００５７】
ステップＳ１２でＨＤＤ７の空き容量を検索する際、リムーバブルメディアドライブ１７に記録媒体１８が挿入されている場合は、合わせて記録媒体１８の空き容量の検索も行う。もし、リムーバブルメディアドライブ１７の記録媒体１８が取り出されることがあった場合は、その時点でステップＳ１２の空き容量検索からフロー処理を開始する。ステップＳ２２で通知指定の範囲日ではないために処理を終了した場合は、範囲日になったら通知をする処理を行う。
【００５８】
また、前述では、記録媒体の空き容量不足で録画予約が完了出来ない状況が発生した場合に、１つの録画予約が録画予約が完了できないかの通知を行うように説明しているが、その録画予約以降すべてが出来なくなる訳なので、どの録画予約からそれ以降が録画完了不可との通知メッセージにしてもよい。つまり、照合結果より、どの予約から録画完了が不可なのかを確認して、ユーザに通知する。更に、録画完了不可の録画予約リストを提示してもよい。
【００５９】
他には、常に録画予約リストと記録媒体の空き容量を算出して照合しておき、未来に録画完了不可の録画予約が発生すると予測出来る場合には、照合結果に基づいて、どの録画予約までは録画完了可能だということを確認し、その旨の通知を行ってもよい。この時、録画完了可能な録画予約情報をリストにして提示してもよい。
【００６０】
図４は、Ｓ２における録画予約以降に予約が存在する場合の処理を示すフローチャートである。
ステップＳ１における１つの予約録画が完了すると、ステップＳ２に進む。まずは制御部３が、予約管理部５により管理される録画予約リストを参照して（ステップＳ３１）、次の録画予約があるかどうかを検索する（ステップＳ３２）。次の録画予約が有る場合は、制御部３は、ＨＤＤ７の空き容量を検索し（ステップＳ３３）、照合部８にて、予約管理部５が管理する予約リストによる録画に必要な容量との照合を行う（ステップＳ３４）。制御部３は、照合結果により、次の録画予約分の空き容量がＨＤＤ７に有るか無いかを判定する（ステップＳ３５）。ＨＤＤ７に空き容量がある場合は、その録画予約が連続予約かどうかを判定する（ステップＳ３６）。連続予約だった場合は、制御部３は、予約管理部５を介してインターネットサーバ１４にアクセスして次回分を番組表から検索照合する（ステップＳ３７）。すなわち、制御部３は、照合部８に今回の予約情報と番組表情報と照合させ、次回が有るか無いかを判定し（ステップＳ３８）、次回が有る場合はステップＳ３１に戻り、今検索や判定をした録画予約の次の録画予約があるかを予約リストから検索を行う。
【００６１】
ステップＳ３８で次回が無い場合は、今回で番組が終了することを通知し（ステップＳ３９）、予約管理部５が管理する予約リストを更新して（ステップＳ４４）、上述同様、又ステップＳ３１に戻る。
ステップＳ３６で連続予約では無い場合は、上述同様、又ステップＳ３１に戻る。
【００６２】
ステップＳ３５で次の予約分の空き容量が無い場合は、ユーザの通知指定が有るか無いかを検索し（ステップＳ４０）、有る場合は日にちを照合部８が照合し（ステップＳ４１）、通知指定の範囲日かどうかの判定を行い（ステップＳ４２）、範囲日の場合は録画不可メッセージを通知し（ステップＳ４３）、ステップＳ３に進む。
ステップＳ４２で通知指定の範囲日ではない場合は処理を終了しステップＳ２に戻る。
【００６３】
ステップＳ４０でユーザの通知指定が無い場合は、録画不可メッセージの通知を行い（ステップＳ４３）、ステップＳ３へ進む。
ステップＳ３２でその次の予約が無い場合はステップＳ３へ進む。
【００６４】
ステップＳ３３でＨＤＤ７の空き容量を検索する際、リムーバブルメディアドライブ１７に記録媒体１８が挿入されている場合は、合わせて記録媒体の空き容量の検索も行う。もし、リムーバブルメディアドライブ１７の記録媒体１８が取り出されることがあった場合は、その時点でステップＳ３３の空き容量検索からフロー処理を開始する。
ステップＳ４２で通知指定の範囲日ではないため終了した場合は、範囲日になったら通知をする処理を行う。
【００６５】
図４では、１つ前の録画予約の録画完了時のタイミングで空き容量と予約録画の必要容量との照合を行っているが、放送電波で送られてくるＥＰＧ更新時に同様のことを行ってもよい。
【００６６】
図５は、Ｓ４における記録媒体の容量が足りなくて録画予約不可の場合の処理を示すフローチャートである。
ユーザが操作を開始し、リモコン１によりディスプレイ１１がスイッチオン（ステップＳ５１）されると、まずディスプレイ１１に録画予約不可のメッセージが表示される（ステップＳ５２）。この時、ディスプレイ１１の表示による通知の他に、スピーカ１２による音声での通知、あるいは携帯電話のメールによる通知などでもよい。
【００６７】
次に、ユーザが不要なデータを消去するかどうかを選択する（ステップＳ５３）。消去をする場合は、Ａ：ユーザが手動で削除する、Ｂ；視聴済みリストを表示する、Ｃ：古い順リストを表示するかのいずれかをユーザが選択する（ステップＳ５４）。Ａを選択した場合は、制御部３がディスプレイ１１に録画済みリストを表示し（ステップＳ５５）、リスト中からユーザが任意の削除コンテンツを選択して削除を行う（ステップＳ５６）。そして、必要空き容量が確保出来たかを確認し（ステップＳ５７）、確保出来ていたらステップＳ３へ戻る。まだ必要空き容量に達していなかった場合は又ステップＳ５３に戻る。
【００６８】
ステップＳ５４でＢを選択した場合は、ユーザが制御部３に削除案の提案をさせるか否かを選択し（ステップＳ５８）、削除案の提案を選択した場合は、制御部３により最適な削除案が１案以上表示され（ステップＳＳ５９）、ユーザは任意案を選択し削除を行う（ステップＳ５６）。制御部３は、ＨＤＤ７の必要空き容量が確保出来たかを確認し（ステップＳ５７）、確保出来ている場合は、ステップＳ３へ戻る。この場合、最適な削除案を算出して提示している為、ステップＳ５７で必要空き容量が確保出来ていないことは無い。
【００６９】
ステップＳ５８で削除案を提案させないを選択した場合は、ユーザが表示されたリストから任意の視聴済みコンテンツを選択し削除し（ステップＳ５６）、制御部３が必要空き容量が確保出来たか確認し（ステップＳ５７）、確保出来ている場合はステップＳ３へ戻る。確保出来ていない場合は、又ステップＳ５３へ戻る。
【００７０】
ステップＳ５４でＣを選択した場合は、Ｂを選択した場合と同様に、ユーザが制御部３に削除案の提案をさせるか否かを選択し（ステップＳ５８）、削除案の提案を選択した場合は、制御部３により最適な削除案が１案以上表示され（ステップＳ５９）、ユーザは任意の案を選択し削除を行う（ステップＳ５６）。そして制御部３は必要空き容量が確保出来たかを確認し（ステップＳ５７）、確保出来ている場合はステップＳ３に戻る。この場合、最適な削除案を算出して提示するため、ステップＳ５７で必要空き容量が確保出来ていないことはない。ステップＳ５８で削除案を提案させないを選択した場合は、ユーザが表示されたリストから任意の古いコンテンツを選択し削除し（ステップＳ５６）、制御部３が必要空き容量が確保出来たか確認し（ステップＳ５７）、確保出来ている場合はステップＳ３へ戻る。確保出来ていない場合は、又ステップＳ５３へ戻る。
【００７１】
ステップＳ５３でＮｏを選択した場合は、ユーザは、予約当初の録画モードよりも録画の必要容量を下げた録画モードに落とす（切り換える）か否かを選択する（ステップＳ６０）。Ｙｅｓを選択した場合は、照合部８は、各録画モードにおける必要容量と、前記記録媒体１８の空き容量とを照合し、制御部３は照合結果により録画容量を確保可能な録画モードが有るか否かを確認する（ステップＳ６１）。可能なモードが有る場合は、制御部３は、その録画モードを表示し（ステップＳ６２）、ユーザは任意のモードを選択する（ステップＳ６３）。制御部３は必要空き容量が確保可能かどうかの確認を行う（ステップＳ５７）。この場合、可能なモードを算出して表示するため、ステップＳ５７で必要空き容量が確保出来ていないことはない。
【００７２】
ステップＳ６１で可能なモードが無い場合には、ステップＳ５３へ戻る。
ステップＳ６０で録画モードを落とさないを選択した場合には、録画不可となり、録画不可メッセージが表示されたままステップＳ５へ進む。
【００７３】
図６は、録画不可の場合の処理を示すフローチャートである。
制御部３は、「録画不可のため録画予約を取り消します」のメッセージをディスプレイ１１に表示する（ステップＳ７１）。次に制御部３は、予約部４により録画取り消し処理を行い（ステップＳ７２）、予約管理部５の予約リストを更新する（ステップＳ７３）。
【００７４】
図７は、録画予約されているコンテンツの中で、次に録画されるコンテンツ分の空き容量が無い場合のメッセージ通知方法の一例を示す図である。
制御部３によりディスプレイ１１に表示されている予約番組リスト２２は、録画予約が完了した予約番組情報を示す。太枠で示した「３番  毎土２２：３０〜２３：３０」の予約番組情報２３が、現時点（６月５日）で録画予約完了したばかりの情報である。現時点のＨＤＤ７の空き容量についての表示例である「ＨＤＤ空き状況」２４から、あまり空き容量が無いことが分かる。もう一度予約番組リスト２２を参照し、次に録画される予定の予約番組情報２５「２番  ６／６  １２：１５〜１３：１５」を確認する。ＳＰモードで１時間分のため、ＨＤＤの容量が足りないことが分かる。その為、制御部３は、空き容量が無い為に予約録画が出来ない通知を行う。
【００７５】
なお、通知例は以下の３つを示すが、これに限るものではない。
（１）ディスプレイ１１に表示して通知する例である（表示通知２６）。
（２）スピーカ２７からメッセージ２８を音声で流して通知する例である。
（３）携帯電話２９のメール送信３０で通知を行う例である。
【００７６】
このように空き容量が無く予約録画が出来ないことを、制御部３は事前にユーザに通知することが可能である。ここではＨＤＤ７の空き容量しか考慮していないが、リムーバブルメディアドライブ１７に記録媒体１８が挿入されている場合は、合わせて記録媒体１８の空き容量についても考慮する。
【００７７】
図８は、図７の様に次回録画がＨＤＤ７の空き容量不足で不可の場合の対処方法の一例を示す図である。
ディスプレイ１１に予約録画不可メッセージ２６が表示される。その後、解決方法のリスト３１が表示される。ユーザは任意の解決方法をこのリスト３１から選択することが可能である。
【００７８】
「手動消去」を選択した場合は制御部３により録画リスト３２がディスプレイ１１に表示され、ユーザは任意のコンテンツを選択して消去を行い、次回録画分のＨＤＤ容量を確保する。もし、リムーバブルメディアドライブ１７に記録媒体１８が挿入されている場合は、合わせて記録媒体１８の使用リストを表示し、ユーザはＨＤＤ７と同様に任意のコンテンツを選択し消去を行い、次回録画分の記録媒体１８の容量を確保する。この時、ＨＤＤ７と記録媒体１８の空き容量はいずれか１つで確保するのが望ましいが、場合によってはＨＤＤ７と記録媒体１８の空き容量の合算で確保してもよい。この場合は、記録装置側で、録画予約コンテンツの記録先を各々の空き容量に合わせてチェンジ出来るような機能が必要となる。
【００７９】
解決方法のリスト３１で消去案提示を選択すると、制御部３により最適な消去案候補が１つ以上提示される（提示例３４）。消去案提示方法としては、録画済みコンテンツリスト内から、視聴済みコンテンツを優先的に候補として選定する、録画日時が古い順から候補として選定する、必要空き容量と同容量、又は、少し多めの容量を要しているコンテンツを優先して選定する、もしくは、前述の選定方法を複数組み合わせて選定するなどである。記録装置１９としては、録画日時を保持する機能、及び、録画コンテンツを視聴した場合には、視聴済みコンテンツ識別情報（フラグなど）を付加する機能が必要である。
また、消去案候補は、ＨＤＤ７と記録媒体１８の組み合わせでもよい。
【００８０】
解決方法のリスト３１でモード変更を選択すると、次回録画予約の予約番組リスト２２とＨＤＤ空き状況２４、もしくは、記録媒体空き状況を参照し、録画モードを落とせば録画可能な場合には、可能モードが提示されるので（提示例３３）、ユーザは録画予約情報の録画モードの変更を行う。すでに録画モードがＥＰであったり、録画モードを落としても必要空き容量が確保出来ない場合は、他の解決方法を選択する必要がある。
【００８１】
この場合は、予め解決方法のリスト３１から「モード変更」を選択不可にしておいてもよい。
その他の解決方法としては、予約取消がある。これは、単純に該当録画予約を取り消すことである。保留を選択した場合は、次回予約録画に関して、空き容量が確保されるまで、ユーザへ通知が続けられる。定期的に通知が行われてもよい。
【００８２】
また、解決方法手順は上述によらなくてもよい。
例えば、空き容量不足で予約不可状況が発生し、且つ、該録画予約の設定モードがＬＰ以上である場合は、制御部３が録画モードを下げた場合の必要容量を算出し、照合部８がＨＤＤ等の記録媒体等の空き容量との照合を行い、その結果によって制御部３が録画予約可能な録画モードがある場合は録画モード変更提案の通知を行う。その場合の通知方法は、前述している、表示通知、音声通知、メール送信通知等のいずれか１つ以上であり、複数を組みわせて行ってもよい。
【００８３】
図９はＸＰモードで１時間分の容量を基準とした場合の他モードの時間割合表である。
図８で例として示しているＨＤＤ空き状況２４を参照すると、ＸＰモードで２４分４０秒の空き容量がある。図８の時間割合表を用いてその他のモードでの空き容量を算出すると、ＳＰモードでは、２倍の５１分２０秒、ＬＰモードでは、４倍の１時間４２分４０秒、ＥＰモードでは、６倍の２時間３４分の空き容量があることになる。
この表を用いて、上述のように、制御部３はモード変更の算出が可能となる。
【００８４】
図１０は、今後の録画予約リストの録画可否を通知する例である。
現在６月５日（土）２０：００である。リスト２２を参照すると、次の録画予約は、３番の毎週（連続）予約の６月５日（土）の２２：３０〜２３：３０のＬＰモードで１時間分である。ＨＤＤ空き状況をリスト３５として表示させ参照すると、ＬＰで１時間１９分４０秒分あるので、この分の録画は可能である。
【００８５】
その次がリスト（予約番組リスト２２）の２番の６月６日（日）の１２：１５〜１３：１５のＳＰモードで１時間分である。前記２番の６月５日分の録画を行うと、ＨＤＤの空き状況は、リスト３５に示すような状況になる。ＥＰモードでも２９分３０秒しか空き容量が無い為、録画モードを落としたとしても２番の録画は不可である。同様に、１番の６月９日分の３０分も、４番の６月１１日の１時間分も録画不可である。
【００８６】
このため、６月５日（土）２０：００時点では、どの予約から録画不可になるかの制御部３による通知は通知表示３７のようになる。また、どの予約まで録画可能なのかの通知は、通知表示３８のようになる。どこまで録画可能で、どこから録画不可なのかを合わせて通知してもよい。
【００８７】
この照合と通知を行うタイミングは、１つ前の録画完了時、番組表更新時、ユーザが記録装置の電源を入れた時、ユーザが予約録画可否状況を確認したい時など、ユーザのニーズに合わせて設定することが可能である。
【００８８】
連続予約に関しては、このような通知を、ユーザが設定した日数前から次回の連続予約に関して記録媒体の空き容量に不足が生じる場合はユーザに通知することが可能である。
【００８９】
以上、本発明の実施形態について詳細に説明したが、本発明は上述した実施形態に限定されるものではなく、本発明の技術思想の範囲において種々の変更が可能である。すなわち、本発明の技術思想の範囲内でなされた設計変更や改良についても当然に本発明の権利範囲に含まれる。
【符号の説明】
【００９０】
１    リモコン
２    入力部
３    制御部
４    予約部
５    予約管理部
６    録画部
７    ＨＤＤ（ハードディスクドライブ）
８    照合部
９    表示部
１０  出力部
１１  ディスプレイ
１２  スピーカ
１３  選択部
１４  インターネットサーバ
１５  アンテナ
１６  チューナ部
１７  リムーバブルメディアドライブ
１８  記録媒体
１９  記録装置システム
２１  ディスプレイ
２２  予約番組リスト
２３  録画予約が完了した予約番組情報
２４  ＨＤＤ空き状況
２５  次の録画予約情報
２６  メッセージ通知表示例
２７  スピーカ
２８  スピーカからのメッセージ通知例
２９  携帯電話
３０  携帯電話メールでのメッセージ通知例
３１  解決方法のリスト
３２  録画済みコンテンツリスト
３３  モード変更提案表示例
３４  消去案提示例
３５，３６  ＨＤＤ空き状況表示例
３７  どの予約から録画不可なのかを通知する表示例
３８  どの予約まで録画可能なのかを通知する表示例
【図１】
2012142661.tif 000003
【図２】
2012142661.tif 000004
【図３】
2012142661.tif 000005
【図４】
2012142661.tif 000006
【図５】
2012142661.tif 000007
【図６】
2012142661.tif 000008
【図７】
2012142661.tif 000009
【図８】
2012142661.tif 000010
【図９】
2012142661.tif 000011
【図１０】
2012142661.tif 000012
【図１１】
2012142661.tif 000013